(57)【特許請求の範囲】
【請求項１】
診療情報の入力を可能とする医療支援画面を表示装置に表示させることによって個々の患者に対応する診療情報の入力を可能とする医療支援システムであって、
前記診療情報を記憶する記憶装置と、
前記医療支援画面を前記表示装置に表示させる機能を有する医療支援画面表示処理部、前記記憶装置に記憶されている診療情報を前記医療支援画面の診療情報表示エリアに表示させる機能を有する診療情報表示処理部、前記診療情報表示エリアから選択された診療情報を前記医療支援画面の診療情報入力エリアにコピーする機能を有する診療情報コピー処理部及び前記選択された診療情報を前記診療情報入力エリアにコピーする際に、前記選択された診療情報がユーザの所望とする内容となるように適正化する機能及び前記診療情報に含まれる複数の項目が所定規則による順序で配列されている場合、前記複数の項目のうちの２つ以上の項目がユーザの所望とする選択順で選択されると、前記所定規則による順序に関係なく前記２つ以上の項目の各項目が前記ユーザの所望とする選択順で前記診療情報入力エリアに入力されるように前記診療情報入力エリアへの入力順序の設定を行う機能を有する診療情報適正化処理部を有する制御装置と、
を有することを特徴とする医療支援システム。
【請求項２】
請求項１に記載の医療支援システムにおいて、
前記所定規則による順序は、前記各項目の頭文字のアルファベット順であり、前記ユーザの所望とする選択順は、前記ユーザが任意に設定可能であることを特徴とする医療支援システム。
【請求項３】
請求項１又は２に記載の医療支援システムにおいて、
前記診療情報コピー処理部は、前記選択された診療情報をドラッグ・アンド・ドロップ操作によってコピーするドラッグ・アンド・ドロップ機能をさらに有することを特徴とする医療支援システム。
【請求項４】
請求項１〜３のいずれかに記載の医療支援システムにおいて、
前記診療情報表示エリアに表示させる診療情報は、前記患者の過去の診療履歴であることを特徴とする医療支援システム。
【請求項５】
請求項１〜４のいずれかに記載の医療支援システムにおいて、
前記診療情報適正化処理部は、前記診療情報を前記診療情報入力エリアにコピーする前の段階においてユーザにより前記診療情報入力エリアにユーザ設定情報が入力された場合は、前記ユーザ設定情報と前記選択された診療情報とを照合し、互いに矛盾する情報が存在するか否かを判定し、矛盾する情報が存在する場合には、前記ユーザ設定情報を優先する機能をさらに有することを特徴とする医療支援システム。
【請求項６】
請求項５に記載の医療支援システムにおいて、
前記ユーザ設定情報と前記選択された診療情報とを照合する際の照合対処となる情報は、初診及び再診であることを特徴とする医療支援システム。
【請求項７】
請求項１〜６のいずれかに記載の医療支援システムにおいて、
前記診療情報適正化処理部は、前記選択された診療情報を前記診療情報入力エリアにコピーする際、前記選択された診療情報に付加すべき付加情報が存在する場合には、前記付加情報を前記選択された診療情報に挿入する機能をさらに有することを特徴とする医療支援システム。
【請求項８】
請求項７に記載の医療支援システムにおいて、
前記付加情報は、診療報酬に関する情報であることを特徴とする医療支援システム。
【請求項９】
診療情報の入力を可能とする医療支援画面を表示装置に表示させることによって個々の患者に対応する診療情報の入力を可能とする医療支援プログラムであって、
前記医療支援画面を前記表示装置に表示させるステップと、
記憶装置に記憶されている診療情報を前記医療支援画面の診療情報表示エリアに表示させるステップと、
前記診療情報表示エリアから選択された診療情報を前記医療支援画面の診療情報入力エリアにコピーするステップと、
前記選択された診療情報を前記診療情報入力エリアにコピーする際に、前記選択された診療情報がユーザの所望とする内容となるように適正化するステップと、
前記診療情報に含まれる複数の項目が所定規則による順序で配列されている場合、前記複数の項目のうちの２つ以上の項目がユーザの所望とする選択順で選択されると、前記所定規則による順序に関係なく前記２つ以上の項目の各項目が前記ユーザの所望とする選択順で前記診療情報入力エリアに入力されるように前記診療情報入力エリアへの入力順序の設定を行うステップと、をコンピュータに実行させることを特徴とする医療支援プログラム。
【発明の詳細な説明】
【技術分野】
【０００１】
本発明は、医療支援画面を表示させることによって個々の患者に対応する診療情報の入力を可能とする医療支援システム及び医療支援プログラムに関する。
【背景技術】
【０００２】
診察や検査などの診療行為を行う際、記憶装置に記憶されている過去の診療履歴などの診療情報を参照することは通常に行われている（例えば、特許文献１参照）。
【０００３】
特許文献１に開示された技術は、例えば、「Ｄｏ読込」ボタンを操作することによって、ある患者において過去に処方された診療情報を読み込んで、読み込んだ診療情報を所定の表示欄に表示させることが示されている。特許文献１に開示された技術によれば、過去の診察履歴を読み出して表示させることは可能であり、それによって、当該患者に対して新たな診療情報を入力する作業は、ある程度簡略化できるものと考えられる。
【先行技術文献】
【特許文献】
【０００４】
【特許文献１】特開２００５−１０７６０４号公報
【発明の概要】
【発明が解決しようとする課題】
【０００５】
しかしながら、特許文献１に開示された技術は、「Ｄｏ読込」を操作することにより、過去の診察履歴を表示させるというものであり、過去の診察履歴がそのまま表示されるだけである。すなわち、「Ｄｏ読込」は、ある日付単位の診療履歴の読み込みを行うものであるため、例えば、指定した日付の「Ｄｏ読込」を操作すると、その日付の診察履歴がそのまま読み込まれて表示される。
【０００６】
したがって、例えば、読み込まれた過去の診察履歴に「初診」といった情報が記載されている場合、それをそのまま読み込んで、今回の診察における診療情報として用いると、現時点（今回）における診察が「再診」である場合には、読み込んだ診療履歴に記載されている「初診」がそのまま入力されてしまい、このままでは不都合が生じる。このような誤りは、医師などによって修正可能であるが、修正をし忘れる場合もあり得る。
【０００７】
このように、過去の診察履歴を参照する際は、単に、過去の診察履歴をそのまま読み込んで表示させるだけではなく、ユーザである医師の所望とする診療情報となるように、診療情報を適正化して表示させるといった診療情報適正化機能も要求される。
【０００８】
この診療情報適正化機能は、過去の診察履歴を表示させる場合だけでなく、例えば、検査項目を検索して、検索された結果の一覧（検索結果一覧）から医師が必要な検査項目のみを複数選択して表示させるような場合、医師の意図した順番で表示させるといった機能も含まれる。
【０００９】
すなわち、検査項目が各検査項目の頭文字のアルファベット順で検索結果一覧として表示されるような医療支援システムの場合、その検索結果一覧の中から複数の検査項目を選択した場合、選択された検査項目もアルファベット順で表示されるのが一般的である。しかしながら、医師としては、自分が選択した検査項目をアルファベット順とは関係なく選択した順序で表示させたいといった要望もある。
【００１０】
そこで、本発明は、記憶装置に記憶されている診療情報を参照する際、参照対象となる診療情報を診療情報入力エリアに容易にコピー可能とするとともに、ユーザの使い易いように診療情報を適正化する機能を有した医療支援システム及び医療支援プログラムを提供することを目的とする。
【課題を解決するための手段】
【００１１】
（１）本発明の医療支援システムは、診療情報の入力を可能とする医療支援画面を表示装置に表示させることによって個々の患者に対応する診療情報の入力を可能とする医療支援システムであって、前記診療情報を記憶する記憶装置と、前記医療支援画面を前記表示装置に表示させる機能を有する医療支援画面表示処理部、前記記憶装置に記憶されている診療情報を前記医療支援画面の診療情報表示エリアに表示させる機能を有する診療情報表示処理部、前記診療情報表示エリアから選択された診療情報を前記医療支援画面の診療情報入力エリアにコピーする機能を有する診療情報コピー処理部及び前記選択された診療情報を前記診療情報入力エリアにコピーする際に、前記選択された診療情報がユーザの所望とする内容となるように適正化する機能を有する診療情報適正化処理部を有する制御装置とを有することを特徴とする。
【００１２】
本発明の医療支援システムによれば、診療情報表示エリアに表示されている診療情報（例えば、当該患者の過去の診療履歴など）を診療情報入力エリアに単にコピーすることができるだけでなく、診療情報の適正化処理を行った上で診療情報入力エリアにコピーすることができる。このため、診療情報入力エリアにコピーされた診療情報は、ユーザ（例えば医師）の所望とする診療情報とすることができる。これにより、当該患者における診療情報入力作業を容易かつ適切に行うことができ、診療情報入力作業を大幅に効率化することができる。
【００１３】
（２）本発明の医療支援システムにおいて、前記診療情報コピー処理部は、前記選択された診療情報をドラッグ・アンド・ドロップ操作によってコピーするドラッグ・アンド・ドロップ機能をさらに有することが好ましい。
【００１４】
このような機能を有することにより、診療情報表示エリアに表示されている診療情報（過去の診療履歴など）をドラッグ・アンド・ドロップ操作によって診療情報入力エリアにコピーすることができ、当該患者における診療情報入力作業を容易かつ適切に行うことができ、診療情報入力作業を大幅に効率化することができる。
【００１５】
（３）本発明の医療支援システムにおいて、前記診療情報表示エリアに表示させる診療情報は、前記患者の過去の診療履歴であることが好ましい。
【００１６】
これは、当該患者が慢性疾患などである場合には、入力すべき診療情報は、過去の診療履歴を利用できる場合が多いからである。このような場合、当該患者の過去の診療履歴を表示させて、表示された診療履歴の中から所定の診療情報を診療情報入力エリアにコピーすることができるようにすれば、効率よく診療情報を診療情報入力エリアに入力することができる。
【００１７】
（４）本発明の医療支援システムにおいて、前記診療情報適正化処理部は、前記診療情報を前記診療情報入力エリアにコピーする前の段階においてユーザにより前記診療情報入力エリアにユーザ設定情報が入力された場合は、前記ユーザ設定情報と前記選択された診療情報とを照合し、互いに矛盾する情報が存在するか否かを判定し、矛盾する情報が存在する場合には、前記ユーザ設定情報を優先する機能をさらに有することが好ましい。
【００１８】
このような機能を有することにより、例えば、現時点（今回）の診察において作成する診療情報に不適切な内容が入力されるのを未然に防止することができ、診療情報入力エリアに入力される診療情報を適切な情報とすることができる。
【００１９】
（５）本発明の医療支援システムにおいて、前記ユーザ設定情報と前記選択された診療情報とを照合する際の照合対処となる情報は、初診及び再診を例示することができる。
【００２０】
例えば、過去の診療履歴がに含まれる情報が「初診」であって、今回の診察において、入力すべき情報が「再診」である場合、医師が予め診療情報入力エリアに「再診」を設定しておけば、診療情報入力エリアに既に設定されている「再診」を優先して、診療履歴の「初診」はコピーされないようにすることができる。これにより、今回の診療が「再診」であるにもかかわらず過去の診療履歴の「初診」がそのままコピーされてしまうといった不具合を防止することができる。
【００２１】
（６）本発明の医療支援システムにおいて、前記診療情報適正化処理部は、前記選択された診療情報を前記診療情報入力エリアにコピーする際、前記選択された診療情報に付加すべき付加情報が存在する場合には、前記付加情報を前記選択された診療情報に挿入する機能をさらに有することが好ましい。
【００２２】
これにより、診療情報入力エリアに診療情報を入力する際のユーザの入力負担を大幅に軽減することができ、診療情報入力作業を大幅に効率化することができる。
【００２３】
（７）本発明の医療支援システムにおいて、前記付加情報は、診療報酬に関する情報を例示することができる。
【００２４】
ここで、診療報酬に関する情報というのは、例えば、深夜加算・年齢加算に関する情報、処方せん料に関する情報、検査項目数が規定数以上であることを示す情報などであり、本発明においては、これらの情報を自動的に算定して、診療情報入力エリアに自動的に付加することを可能とするものであり、これにより、診療情報入力エリアに診療情報を入力する際のユーザの入力負担を大幅に軽減することができ、診療情報入力作業を大幅に効率化することができる。
【００２５】
（８）本発明の医療支援システムにおいて、前記診療情報適正化処理部は、前記診療情報に含まれる複数の項目が所定規則による順序で配列されている場合、前記複数の項目のうちの２つ以上の項目がユーザの所望とする選択順で選択されると、前記所定規則による順序に関係なく前記２つ以上の項目の各項目が前記ユーザの所望とする選択順で前記診療情報入力エリアに入力されるように前記診療情報入力エリアへの入力順序の設定を行う機能をさらに有することが好ましい。
【００２６】
これは、ユーザの所望とする選択順で前記複数の項目のうちの２つ以上の項目が選択されると、所定規則による順序に関係なく、選択された２つ以上の項目の各項目がユーザの所望とする選択順で診療情報入力エリアに入力されるという機能である。
【００２７】
このような機能を有することにより、例えば、検査項目一覧の中から２つ以上の検査項目を選択して診療情報入力エリアに入力するような場合、ユーザの意図を反映した順序で各検査項目を診療情報入力エリアに入力させることができる。これにより、例えば、ユーザが検査の順序で検査項目を選択した場合、検査順序と検査項目の入力順序とが一致することとなり、運用上きわめて便利なものとなる。なお、選択すべき診療情報は検査項目に限られるものではなく、診療情報に含まれる複数の項目のうち２つ以上の項目を選択する場合であれば、他の情報であってもよい。
【００２８】
（９）本発明の医療支援システムにおいて、前記所定規則による順序は、前記各項目の頭文字のアルファベット順であり、前記ユーザの所望とする選択順は、前記ユーザが任意に設定可能としている。
【００２９】
これは、例えば、何らかの診療情報を検索するような場合、検索結果は各項目の頭文字のアルファベット順で表示されるのが一般的である。そして、このような検索結果から２つ以上の項目を選択する場合、アルファベット順ではなく、ユーザが任意に設定した順で選択可能とすることで、ユーザの意図を反映した選択順で検索結果の中から選択することができる。
【００３０】
（１０）本発明の医療支援プログラムは、診療情報の入力を可能とする医療支援画面を表示装置に表示させることによって個々の患者に対応する診療情報の入力を可能とする医療支援プログラムであって、前記医療支援画面を前記表示装置に表示させるステップと、記憶装置に記憶されている診療情報を前記医療支援画面の診療情報表示エリアに表示させるステップと、前記診療情報表示エリアから選択された診療情報を前記医療支援画面の診療情報入力エリアにコピーするステップと、前記選択された診療情報を前記診療情報入力エリアにコピーする際に、前記選択された診療情報がユーザの所望とする内容となるように適正化するステップとを有することを特徴とする。
【００３１】
このようなプログラムをパーソナルコンピュータの制御装置で実行させることによって、前記（１）に示した医療支援システムを実現することができる。なお、本発明の医療支援プログラムにおいても、前記（２）〜（９）に示した医療支援システムが有する各特徴を有することが好ましい。
【図面の簡単な説明】
【００３２】
【図１】実施形態１に係る医療支援システムにおける診療情報入力画面１０の一例を示す図である。
【図２】実施形態１に係る医療支援システムの構成を示す図である。
【図３】実施形態１に係る医療支援システムの全体的な処理手順を説明するフローチャートである。
【図４】診療情報表示エリアＡ３から所定の診療情報を選択してドラッグ・アンド・ドロップ操作によって診療情報入力エリアＡ４にコピーする診療情報入力操作の第１具体例について説明する図である。
【図５】診療情報入力操作の第２具体例について説明する図である。
【図６】診療情報入力操作の第３具体例について説明する図である。
【図７】診療情報入力操作の第４具体例について説明する図である。
【図８】診療情報入力操作の第５具体例について説明する図である。
【図９】実施形態２に係る医療支援システムにおける診療情報選択操作の具体例について説明する図である。
【図１０】図９（ｃ）に示すような検査項目一覧Ｄ２０から所望とする検査項目を選択する操作について説明する図である。
【図１１】選択された検査項目が診療情報入力エリアＡ４に入力された状態を示す図である。
【図１２】一旦選択した検査項目について選択の取り消しを行った後に再度選択した場合の診療情報入力エリアＡ４の入力結果を示す図である。
【図１３】実施形態２に係る医療支援システムの全体的な処理手順を説明するフローチャートである。
【発明を実施するための形態】
【００３３】
以下、本発明の実施形態について説明する。なお、以下に説明する本発明の各実施形態の説明において使用されている「診療情報」というのは、診療履歴、検査履歴、検査項目の検索結果一覧など診療に関する情報を指すものとする。
【００３４】
［実施形態１］
図１は、実施形態１に係る医療支援システムにおける診療情報入力画面１０の一例を示す図である。図１に示す診療情報入力画面１０は、患者の氏名、生年月日などの当該患者に関する患者情報表示エリアＡ１と、カレンダ表示エリアＡ２と、参照すべき診療情報（過去の診療履歴など）を表示する診療情報表示エリアＡ３と、現時点（今回）の診察における診療情報の入力作業を行うエリア（診療情報入力エリアという）Ａ４などを有している。なお、診療情報入力エリアＡ４には、「区分」、「コード」、「名称」、「点数」、「数量」、「単位」、「点数（合計）」、「回数」、「負担」などの項目が存在する。
【００３５】
ここで、ユーザ（医師とする）が当該患者（患者情報表示エリアＡ１に表示されている患者）について診察を行った結果の診療情報などを診療情報入力エリアＡ４に入力する場合、当該患者が慢性疾患などである場合には、当該患者の診療履歴を利用できる場合が多い。
【００３６】
したがって、このような場合、当該患者の診療履歴を診療情報表示エリアＡ３に表示させて、表示された診療履歴から所定の診療情報を診療情報入力エリアＡ４にコピーすることができるようにすると便利である。実施形態１に係る医療支援システムにおいては、ドラッグ・アンド・ドロップ操作によって診療情報入力エリアＡ４にコピー可能とする。
【００３７】
図２は、実施形態１に係る医療支援システムの構成を示す図である。実施形態１に係る医療支援システムは、図２に示すように、制御装置１００、キーボード及びマウスなどの情報入力装置２００、図１に示す診療情報入力画面１０や実施形態２において説明する診療情報選択画面２０などの各種画面（これらを総称して医療支援画面と呼ぶことにする）を表示する表示装置（ディスプレイという）３００、各種の診療情報を記憶する記憶装置４００を有している。このような医療支援システムは、パーソナルコンピュータ（ＰＣという）などによって実現できる。なお、図１においては、ある１台のＰＣの構成を示しているが、当該ＰＣがネットワークなどによりホストコンピュータ（図示せず）などに接続されている構成であってもよい。
【００３８】
制御装置１００は、図１に示す診療情報入力画面１０や実施形態２において説明する診療情報選択画面２０などの医療支援画面を表示装置に表示させる機能を有する医療支援画面表示処理部１１０と、記憶装置４００に記憶されている診療情報を医療支援画面の診療情報表示エリアＡ３に表示させる機能を有する診療情報表示処理部１２０と、診療情報表示エリアＡ３から選択された診療情報を診療情報入力エリアＡ４にコピー可能とする機能を有する診療情報コピー処理部１３０と、選択された診療情報を診療情報入力エリアＡ４にコピーさせる際に、選択された診療情報が医師の所望とする内容となるように適正化する機能を有する診療情報適正化処理部１４０とを有している。
【００３９】
診療情報コピー処理部１３０は、選択された診療情報をドラッグ・アンド・ドロップ操作によってコピー可能とするドラッグ・アンド・ドロップ機能をさらに有している。診療情報コピー処理部１３０が、このようなドラッグ・アンド・ドロップ機能を有することにより、診療情報表示エリアＡ３に表示されている診療情報（過去の診療履歴など）をドラッグ・アンド・ドロップ操作によって診療情報入力エリアＡ４にコピーすることができ、当該患者における診療情報の入力作業を容易かつ適切に行うことができ、診療情報の入力作業を大幅に効率化することができる。なお、診療情報を適正化する処理（診療情報適正化処理）の具体例については後述する。
【００４０】
図３は、実施形態１に係る医療支援システムの全体的な処理手順を説明するフローチャートである。まずは、図１に示すような医療支援画面としての診療情報入力画面１０をディスプレイ３００に表示させ（ステップＳ１）、ユーザーの操作に応じて表示された診療情報入力画面１０の診療情報表示エリアＡ３に、参照すべき診療情報（診療履歴など）を表示させる（ステップＳ２）。そして、診療情報表示エリアＡ３から医師によって選択された診療情報がドラッグ・アンド・ドロップ操作されると、そのドラッグ・アンド・ドロップ操作の際に、当該選択された診療情報を適正化する適正化処理を施し（ステップＳ３）、適正化処理された診療情報を診療情報入力エリアＡ４にコピーする（ステップＳ４）。
【００４１】
図３に示したステップＳ１〜Ｓ４の各処理は、図２に示す制御装置１００によって実行させるものである。すなわち、ステップＳ１〜Ｓ４の各処理を実行するためのプログラムをＰＣに組み込むことにより制御装置１００がステップＳ１〜Ｓ４の各処理を実行するものである。これは、後述する実施形態２に係る医療支援システムにおいて説明する図１２のフローチャートについても同様である。
【００４２】
図４は、診療情報表示エリアＡ３から所定の診療情報を選択してドラッグ・アンド・ドロップ操作によって診療情報入力エリアＡ４にコピーする操作の第１具体例について説明する図である。なお、以下では、診療情報表示エリアＡ３から所定の診療情報を選択してドラッグ・アンド・ドロップ操作によって診療情報入力エリアＡ４にコピーする操作を「診療情報入力操作」と呼ぶことにする。また、図４においては、図１に示す診療情報入力画面１０の一部が省略されている。これは、後述する図５から図８についても同様である。
【００４３】
図４（ａ）は診療情報表示エリアＡ３に当該患者についての診療情報（当該患者の診療履歴とする）を表示させた状態を示す図であり、このような診療情報入力画面１０において、初期状態においては、診療情報入力エリアＡ４の所定位置にカーソルＣＳが存在する。
【００４４】
このように、初期状態において、診療情報入力エリアＡ４の所定位置にカーソルＣＳを存在させておくのは、医師が初期設定として診療情報入力エリアＡ４に何らかの情報を入力する必要がある場合に、カーソルをわざわざ診療情報入力エリアＡ４に持ってくる手間をなくすためであり、これにより、医師は初期設定のための情報入力操作を効率よく行うことができる。
【００４５】
図４（ａ）に示す状態で、診療情報入力エリアＡ４に情報入力の必要がなければ、医師は診療情報表示エリアＡ３に表示されている診療履歴の日付欄Ｄ１をクリックする。これにより、図４（ｂ）に示すように、当該日付欄Ｄ１に対応する診療履歴Ｄ２が選択された状態となる。ここまでの操作は後に説明する図５から図８においても同様である。
【００４６】
なお、本発明の各実施形態においては、選択された領域を灰色で示す。したがって、図４（ｂ）においては、「１」〜「４」の４つの項目が選択された領域であることを示している。診療履歴Ｄ２の４つの項目のうち、「１」の項目は「初診」／「再診」の区分を示しており、「２」〜「４」の項目は、処方した薬剤名や用法に関する情報が示されている。この場合、「初診」／「再診」の区分は、「再診」であることが示されている。また、図４に示す診療情報入力操作の第１具体例は、診療履歴Ｄ２の「１」の項目における「初診」／「再診」の区分が現時点（今回）の診察と一致する場合であるとする。すなわち、診療履歴Ｄ２も「再診」であって今回も「再診」である場合であるとする。
【００４７】
そして、選択された領域がドラッグ・アンド・ドロップ操作されることによって、診療情報入力エリアＡ４にコピーされると、診療情報入力エリアＡ４においては、図４（ｃ）に示すように、コピーされた診療履歴Ｄ２が今回の診察における診療情報Ｄ２’として入力された状態となる。なお、今回の診察における診療情報Ｄ２’には、薬剤名、薬剤の数量、用法の回数（処方日数）などの情報がそのままコピーされており、また、「点数」などの情報も自動的に挿入されている。さらに、付加情報も自動的に挿入される。この付加情報には、診療報酬に関する情報が含まれる。例えば、院外処方の場合、「処方せん料（その他）」というような付加情報Ｄ３とその点数、点数合計、回数も自的に挿入される。このような付加情報の挿入処理は、診療情報適正化処理部１４０によって行われる。
【００４８】
なお、診療情報Ｄ２’が入力されたあと、カーソルＣＳは、薬剤の「数量」の欄に移動する。これは、過去の診療履歴Ｄ２がコピーされることによって入力された今回の診察における診療情報Ｄ２’に対して、医師は薬剤の数量や用法をチェックする必要があるためである。このように、診療情報Ｄ２’が入力されたあとに、カーソルＣＳが薬剤の「数量」の欄に自動的に移動することによって、医師の視線が自然に薬剤の「数量」の欄に注がれる。このため、薬剤の数量や用法のチェックのし忘れを防止することができ、使い勝手のよいものとなる。
【００４９】
図５は、診療情報入力操作の第２具体例について説明する図である。なお、前述の図４に示した診療情報入力操作の第１具体例は、診療情報表示エリアＡ３に表示されている診療履歴Ｄ２の「初診」／「再診」の区分が今回の診察と一致する場合、すなわち、診療履歴Ｄ２も「再診」であって今回も「再診」である場合であった。このため、図４に示した診療情報入力操作の第１具体例においては、診療情報入力エリアＡ４にコピーする際に、「初診」／「再診」の変更を必要としない。
【００５０】
これに対して、図５に示す診療情報入力操作の第２具体例は、過去の診療履歴Ｄ２が「初診」であって、今回の診察においては、「再診」の場合である。実施形態１に係る医療支援システムにおいては、ドラッグ・アンド・ドロップ操作を行う前に、医師は、診療情報入力エリアＡ４に、予め「再診」をユーザ設定情報として入力しておくことを可能としている。
【００５１】
この場合、図５（ａ）に示すように、診療情報入力エリアＡ４には、「再診」であることを示す情報Ｄ４が医師によって入力されているものとする。なお、診療情報入力操作の第２具体例は、「再診」であることを示す情報Ｄ４が医師によって予め入力されている点が、図４における診療情報入力操作の第１具体例と異なるだけであり、その他の操作は診療情報入力操作の第１具体例と同じである。
【００５２】
すなわち、医師によって診療情報表示エリアＡ３の診療履歴Ｄ２が選択され（図５（ｂ）参照）、選択された領域がドラッグ・アンド・ドロップ操作されることによって、診療履歴Ｄ２が診療情報入力エリアＡ４にコピーされる。これにより、診療情報入力エリアＡ４においては、図５（ｃ）に示すように、コピーされた診療履歴Ｄ２が今回の診察における診療情報Ｄ２’として入力された状態となる。なお、このとき、診療情報入力エリアＡ４には、既に「再診」が設定されているので、このような場合には、診療情報入力エリアＡ４に既に入力されている「再診」を優先して、診療履歴Ｄ２の「初診」はコピーされない。
【００５３】
このような機能は、診療情報適正化処理部１４０によって行われる。すなわち、診療情報適正化処理部１４０では、ユーザにより設定されたユーザ設定情報（この場合「再診」）が診療情報入力エリアＡ４に存在する場合、当該ユーザ設定情報と選択した診療履歴Ｄ２とを照合して、互いに矛盾する情報が存在する否かを判定し、矛盾する情報が存在する場合には、ユーザ設定情報（この場合「再診」）を優先する。このような処理を行うことにより、今回の診察が「再診」であるにもかかわらず、過去の診療履歴Ｄ２の「初診」がそのままコピーされてしまうのを防止することができる。
【００５４】
なお、もし、医師が予め「再診」を設定せずに、過去の診療履歴Ｄ２の「初診」がそのままコピーされた場合であっても、医師は「初診」を「再診」に変更することができる。
【００５５】
図６は、診療情報入力操作の第３具体例について説明する図である。図６に示す診療情報入力操作の第３具体例は、処方された薬剤の種類が所定数以上（７種類以上とする）である場合の操作例である。図６においては、薬剤が１０種類処方された場合が例示されている。なお、医師の行う操作などは、前述の図４又は図５の操作とほぼ同じである。
【００５６】
図６（ａ）に示すように、診療情報表示エリアＡ３に表示された診療履歴Ｄ２においては、１０種類の薬剤名及びその用法が表示されており、今回の診察においても、これと同じ薬剤を処方するものとする。
【００５７】
そして、医師によって診療情報表示エリアＡ３の診療履歴Ｄ２が選択され（図６（ｂ）参照）、選択された領域がドラッグ・アンド・ドロップ操作されると、診療履歴Ｄ２が診療情報入力エリアＡ４にコピーされる。これにより、診療情報入力エリアＡ４においては、図６（ｃ）に示すように、コピーされた診療履歴Ｄ２が今回の診察における診療情報Ｄ２’として入力された状態となる。
【００５８】
なお、今回の診察における診療情報Ｄ２’には、薬剤名、薬剤の数量、用法の回数（処方日数）などの情報がそのままコピーされており、また、「点数」などの情報も自動的に挿入されている。さらに、付加情報（診療報酬に関する情報を含む）も自動的に挿入される。例えば、薬剤が所定数以上の場合で、かつ、院外処方の場合には、「調剤料（内服薬・浸煎薬・とん服薬）」というような付加情報Ｄ５及び「処方料（７種類以上）」というような付加情報Ｄ６とそれぞれの点数、点数合計、回数なども自動的に挿入される。このような付加情報の挿入処理は、診療情報適正化処理部１４０によって行われる。また、この場合も、診療情報Ｄ２’が入力されたあと、カーソルＣＳは、薬剤の「数量」の欄に移動する。
【００５９】
図７は、診療情報入力操作の第４具体例について説明する図である。図７に示す診療情報入力操作の第４具体例は、「年齢加算」及び「深夜加算」が考慮される場合である。図７においては、１歳の幼児を深夜に診察した場合について説明する。なお、医師の行う操作などは、前述の図４から図６で説明した操作とほぼ同じである。
【００６０】
図７（ａ）に示すような診療情報入力画面１０においては、この場合、時間帯表示部に設定されている時間帯情報Ｄ７が「深夜」に設定されている。このような設定状態において、前述同様、医師によって診療情報表示エリアＡ３の診療履歴Ｄ２が選択され（図７（ｂ）参照）、選択された領域がドラッグ・アンド・ドロップ操作されることによって、診療履歴Ｄ２が診療情報入力エリアＡ４にコピーされる。これにより、診療情報入力エリアＡ４においては、図７（ｃ）に示すように、コピーされた診療履歴Ｄ２が今回の診察における診療情報Ｄ２’として入力された状態となる。
【００６１】
このとき、時間帯表示部に設定されている時間帯情報Ｄ７（この場合「深夜」）と、患者の年齢表示部に設定されている年齢情報Ｄ８（この場合「１歳」）が読み込まれている。これにより、年齢や時間帯に応じた付加情報（診療報酬に関する情報を含む）を自動的に挿入することができる。
【００６２】
例えば、診療情報入力エリアＡ４には、図７（ｃ）に示すように、今回の診察における診療情報Ｄ２’の他に、時間加算及び年齢加算（この場合、再診（乳幼児深夜）加算、５９０点）というような付加情報Ｄ９が自動的に挿入される。さらに、院外処方の場合、「処方せん料（その他）」というような付加情報Ｄ３と、その点数、点数合計、回数が自動的に挿入され、また、処方せん（乳幼児）加算（３点）というような付加情報Ｄ１０も自動的に挿入される。このような付加情報の挿入処理は、診療情報適正化処理部１４０によって行われる。なお、この場合も、診療情報Ｄ２’が入力されたあと、カーソルＣＳは、薬剤の「数量」の欄に移動する。
【００６３】
図８は、診療情報入力操作の第５具体例について説明する図である。なお、診療情報入力操作の第５具体例は、診療情報表示エリアＡ３に表示されている診療履歴Ｄ２が当該患者における過去の検査履歴であって、この検査履歴を今回の診察における検査項目として診療情報入力エリアＡ４に入力する場合である。
【００６４】
診療情報入力操作の第５具体例においては、図８（ａ）に示すように、診療情報表示エリアＡ３には診療履歴Ｄ２として過去の検査履歴が表示されている。この状態で、前述同様、医師によって診療情報表示エリアＡ３の検査履歴（この場合もＤ２の符号を付す）が選択され（図８（ｂ）参照）、選択された領域がドラッグ・アンド・ドロップ操作されることによって、検査履歴Ｄ２が診療情報入力エリアＡ４にコピーされる。これにより、診療情報入力エリアＡ４においては、図８（ｃ）に示すように、コピーされた検査履歴Ｄ２が今回の検査項目Ｄ２’として入力された状態となる。
【００６５】
さらに、付加情報（診療報酬に関する情報を含む）も自動的に挿入される。例えば、選択された検査項目が５種類以上の場合には、検査項目数に応じた付加情報が診療情報入力エリアＡ４に自動的に挿入される。この例では、「生化学検査（Ｉ）まるめ１０項目以上」というような付加情報Ｄ１２が自動的に挿入されている。また、検査項目に内容に必要に応じて、例えば「検査判断料」というような付加情報Ｄ１３なども自動的に挿入される。また、静脈採血が必要な検査が挿入された場合には、「Ｂ−Ｖ」（静脈採血料）というような付加情報Ｄ１４が自動的に挿入される。このような付加情報の挿入処理は、診療情報適正化処理部１４０によって行われる。
【００６６】
以上説明したように、実施形態１に係る医療支援システムにおいては、診療情報表示エリアＡ３に表示されている診療情報としての診療履歴（検査履歴も含む）Ｄ２をドラッグ・アンド・ドロップ操作によって診療情報入力エリアＡ４にコピーすることができる。これにより、当該患者における診療情報入力作業を容易かつ適切に行うことができ、診療情報入力作業を大幅に効率化することができる。また、ドラッグ・アンド・ドロップ操作によって診療情報がコピーされる際、診療情報がそのままコピーされるのではなく、診療情報入力エリアＡ４において適正な診療情報とするための診療情報適正化処理行うようにしている。
【００６７】
このような診療情報適正化処理を行うことにより、例えば、図５の例においては「初診」／「再診」の誤りをなくすことができ、また、図６の例のように薬剤の種類が所定数以上であった場合、あるいは、図７の例のように深夜加算・年齢加算などが存在する場合などにおいて、これらに対応する付加情報が自動的に挿入される。また、図８の例のように、検査項目の数や項目の内容に応じた付加情報も自動的に挿入される。
【００６８】
なお、実施形態１に係る医療支援システムにおいては、診療情報表示エリアＡ３の日付欄Ｄ１をクリックすることによって表示される診療情報（例えば診療履歴Ｄ２）全体をまとめて選択する場合を例示したが、診療情報（例えば診療履歴Ｄ２）の中のある特定の診療情報だけを選択して、選択した特定の診療情報をドラッグ・アンド・ドロップ操作によって診療情報入力エリアＡ４にコピーさせるようにすることもできる。
【００６９】
例えば、図４に示す診療情報入力操作の第１具体例を例にとった場合、診療履歴Ｄ２の「ＰＬ顆粒」のみを選択して、選択した「ＰＬ顆粒」をドラッグ・アンド・ドロップ操作によって診療情報入力エリアＡ４にコピーさせるようにすることもできる。
【００７０】
また、実施形態１に係る医療支援システムにおいては、診療情報入力操作の第１具体例から第５具体例について説明したが、これらの診療情報入力操作例に限られるものではない。
【００７１】
［実施形態２］
実施形態２に係る医療支援システムにおいては、医師によって選択された診療情報を、選択された順序（選択順という）で表示可能とするものである。実施形態２に係る医療支援システムにおいては、検査項目を検索することによって検索された検索結果の一覧（検索結果一覧という）の中から所定の検査項目を２項目以上選択して、診療情報入力エリアＡ４にコピーする場合を例にとって説明する。
【００７２】
図９は、実施形態２に係る医療支援システムにおける診療情報選択操作の具体例について説明する図である。図９（ａ）は診療情報入力画面１０であり、ここでは、図７（ａ）に示した診療情報入力画面（１歳の乳幼児の診療情報入力画面）１０と同じものを使用して説明する。
【００７３】
図９（ａ）に示すような診療情報入力画面１０において、初期状態におけるカーソルＣＳの位置で、診療項目に応じた診療区分コードなどの情報を入力する。この場合は、例えば、図９（ｂ）に示すように、「６０．１１＋」を入力し、パーソナルコンピュータ（ＰＣ）の「Ｅｎｔｅｒ」キー（図示せず）を押す。
【００７４】
ここで、上記した「６０．１１＋」における「６０」は診療区分を表すコードであり、これは「検査」であることを示し、「１１」は点数を示すものである。すなわち、「６０．１１＋」は、診療区分が「検査」で点数が「１１点」の診療項目であることを意味している。したがって、「６０．１１＋」が入力され、かつ、ＰＣの「Ｅｎｔｅｒ」キーが押されることにより、図９（ｃ）に示すような診療情報選択画面２０が診療情報入力画面１０上に開かれ、診療情報選択画面２０の診療情報表示エリアＡ５には、検索された検査項目一覧Ｄ２０が表示される。図９（ｃ）に示すような診療情報選択画面２０を表示させる処理は、図２に示した医療支援画面表示処理部１１０によって行うことができる。
【００７５】
なお、図９（ｃ）は診療情報選択画面２０がディスプレイ３００の画面全体に表示されている状態が示されており、後述する図１０においては、診療情報選択画面２０を診療情報入力画面１０上で多少縮小した状態としている。
【００７６】
また、図９（ｃ）における検査項目一覧Ｄ２０においては、１５種類の検査項目が所定規則による順序（検査項目名の頭文字のアルファベット順）で上から順に並べられている。
【００７７】
図１０は、図９（ｃ）に示すような検査項目一覧Ｄ２０から所望とする検査項目を選択する操作について説明する図である。ここでは、今回実施する検査項目は、「Ａｍｙ」、「Ｃａ」、「ＢＵＮ」の３種類であるとし、検査項目一覧Ｄ２０の中から、医師は今回実施する検査項目を、「Ａｍｙ」、「Ｃａ」、「ＢＵＮ」の順で選択するものとする。
【００７８】
まず、図１０（ａ）に示すように、「Ａｍｙ」がクリックされると「Ａｍｙ」が選択された状態となり、図２に示した記憶装置４００の選択リスト１（図示せず）に「Ａｍｙ」が格納される。続いて、図１０（ｂ）に示すように、「Ｃａ」がクリックされると「Ｃａ」が選択された状態となり、記憶装置４００の選択リスト２（図示せず）に「Ｃａ」が格納される。さらに続いて、図１０（ｃ）に示すように、「ＢＵＮ」がクリックされると「ＢＵＮ」が選択された状態となり、記憶装置４００の選択リスト３（図示せず）に「ＢＵＮ」が格納される。
【００７９】
以上のような操作手順で３種類の検査項目が順次選択されたあと、診療情報選択画面２０の右下の「決定キー」Ｋ１がクリックされると、診療情報入力画面１０の診療情報入力エリアＡ４には、検査項目の選択順、すなわち、「Ａｍｙ」、「Ｃａ」、「ＢＵＮ」の順で入力される（図１１参照）。
【００８０】
図１１は、選択された検査項目が診療情報入力エリアＡ４に入力された状態を示す図である。図１１に示すように、この場合、検査項目は、その選択順、すなわち、「Ａｍｙ」、「Ｃａ」、「ＢＵＮ」の順で診療情報入力エリアＡ４に入力された状態となっている。
【００８１】
このように、実施形態２に係る医療支援システムにおいては、選択された検査項目は、アルファベット順とは関係なく選択順で表示される。ちなみに、従来の医療支援システムにおいては、上記の例の場合のように、「Ａｍｙ」、「Ｃａ」、「ＢＵＮ」が選択された場合には、選択順ではなくアルファベット順、すなわち、「Ａｍｙ」、「ＢＵＮ」、「Ｃａ」の順序で診療情報入力エリアＡ４に入力されるのが一般的である。
【００８２】
実施形態２に係る医療支援システムのように、選択された検査項目が選択順で入力されることにより、医師の意図を反映した順序で検査項目を入力することができる。すなわち、検査項目を入力する際は、医師が記載したカルテの順序通りに入力することが必要であり、そうしないと、検査項目を入力したあと、カルテと入力された検査項目とを比較チェックする際の比較チェック作業が大変煩雑になってしまう。このため、選択された検査項目が選択順で入力されることは、運用上きわめて便利である。
【００８３】
ところで、一旦選択した検査項目について、選択の取り消しを行いたい場合には、再度、当該検査項目をクリックすれば、当該検査項目の選択を取り消すことができる。例えば、「Ａｍｙ」、「Ｃａ」、「ＢＵＮ」の順でこれら各検査項目を選択した状態（図１０（ｃ）の状態）で、「Ａｍｙ」の取り消しを行う場合には、再度「Ａｍｙ」をクリックする。これにより、「Ａｍｙ」は非選択状態となり、記憶装置４００の選択リスト１の内容が削除される。
【００８４】
なお、一旦取り消した検査項目を再び選択したい場合には、当該検査項目を再びクリックする。例えば、上記のように、「Ａｍｙ」を一旦取り消したのちに、再び「Ａｍｙ」を選択する場合には、「Ａｍｙ」を再クリックする。これにより、「Ａｍｙ」は記憶装置４００の選択リスト４（図示せず）に格納される。そして、決定キーＫ１をクリックすると、診療情報入力エリアＡ４には、選択リスト１，２，３，４の順で入力されるが、この場合、選択リスト１は取り消し操作によって削除されているため、診療情報入力エリアＡ４には、選択リスト２，３，４の順で入力される。すなわち、この場合は、「Ｃａ」、「ＢＵＮ」、「Ａｍｙ」の順で表示される。
【００８５】
図１２は、一旦選択した検査項目について選択の取り消しを行った後に再度選択した場合の診療情報入力エリアＡ４の入力結果を示す図である。図１２は、図１０（ｃ）の状態から、「Ａｍｙ」を一旦取り消したのちに、再び「Ａｍｙ」を選択した場合であり、この場合は、選択リスト２，３，４の順で入力されるため、図１２に示すように、「Ｃａ」、「ＢＵＮ」、「Ａｍｙ」の順で表示される。
【００８６】
図１３は、実施形態２に係る医療支援システムの全体的な処理手順を説明するフローチャートである。図１に示すような診療情報入力画面１０が表示されている場合には、診療情報入力画面１０において診療情報選択画面２０を表示させるための操作（例えば、「６０．１１＋」を入力して「Ｅｎｔｅｒ」キーを押す操作）が行われることにより、診療情報選択画面２０を表示させることができるが、ここでは、診療情報入力画面１０を表示させるステップから説明する。
【００８７】
まず、図１に示すような診療情報入力画面１０をディスプレイ３００に表示させ（ステップＳ１１）、表示された診療情報入力画面１０において、診療情報選択画面２０を表示させるための操作が行われると診療情報選択画面２０が表示される（ステップＳ１２）。そして、診療情報選択画面２０から医師によって２つ以上の診療情報が選択されると、選択された診療情報を適正化処理し（ステップＳ１３）、適正化処理された診療情報を診療情報入力エリアＡ４にコピーする（ステップＳ１４）。なお、実施形態２に係る医療支援システムにおいて行われる診療情報適正化処理は、医師によって選択された診療情報（検査項目など）を医師の選択順に診療情報入力エリアＡ４に表示させる処理である。このような診療情報適正化処理は、図２に示す診療情報適正化処理部１４０によって行われる。
【００８８】
なお、本発明は前述の各実施形態に限られるものではなく、本発明の要旨を逸脱しない範囲で下記（１）〜（４）に示すような変形実施も可能となるものである。
【００８９】
（１）実施形態１に係る医療支援システムにおいては、ユーザ設定情報と選択した前記医療情報とを照合する照合対象となる情報は、「初診」と「再診」である場合を例示したが、これに限られるものではなく、他の設定情報であってもよい。要は、診療情報入力エリアＡ４においてユーザ設定情報が存在する場合には、設定されているユーザ設定情報と診察履歴情報とが矛盾する場合には、ユーザの設定した情報を優先するような処理を行う。
【００９０】
（２）実施形態１に係る医療支援システムにおいては、診療情報表示エリアＡ３から診療情報入力エリアＡ４にコピーする診療情報は、過去の診察履歴及び検査履歴とした場合を例示したが、これに限られるものではなく、他の診療情報であってもよい。
【００９１】
（３）実施形態２に係る医療支援システムにおいては、選択すべき診療情報として、検査項目を検索した結果を例示したが、選択すべき診療情報は検査項目に限られるものではなく、診療情報に含まれる複数の項目のうち２つ以上の項目を選択する場合であれば、他の情報であってもよい。
【００９２】
（４）前述の各実施形態を説明するために用いた各図に示されている医療支援表示画面（診療情報入力画面１０及び診療情報選択画面２０）は一例であって、これら各図に示したものに限られるものではない。
【符号の説明】
【００９３】
１０・・・診療情報入力画面、２０・・・診療情報選択画面、１００・・・制御装置、２００・・・情報入力装置、１１０・・・医療支援画面表示部、１２０・・・診療情報コピー処理部、１３０・・・診療情報適正化処理部、３００・・・表示装置、４００…記憶装置、Ａ１・・・患者情報表示エリア、Ａ２・・・カレンダ表示エリア、Ａ３，Ａ５・・・診療情報表示エリア、Ａ４・・・診療情報入力エリア、ＣＳ・・・カーソル、Ｄ１・・・日付欄、Ｄ２・・・診療履歴、Ｄ２’・・・今回の診察における診療情報、Ｄ３，Ｄ４，Ｄ５，Ｄ６，Ｄ９，Ｄ１０，Ｄ１２，Ｄ１３，Ｄ１４・・・付加情報、Ｄ７・・・時間帯情報、Ｄ８・・・年齢情報、Ｋ・・・決定キー
【図２】
0005498065.tif 000002
【図３】
0005498065.tif 000003
【図１】
0005498065.tif 000004
【図４】
0005498065.tif 000005
【図５】
0005498065.tif 000006
【図６】
0005498065.tif 000007
【図７】
0005498065.tif 000008
【図８】
0005498065.tif 000009
【図９】
0005498065.tif 000010
【図１０】
0005498065.tif 000011
【図１１】
0005498065.tif 000012
【図１２】
0005498065.tif 000013
【図１３】
0005498065.tif 000014